(57)【特許請求の範囲】
【請求項１】
入力直流電圧を昇圧直流電圧に昇圧させ、その昇圧直流電圧を負荷に提供する昇圧回路と、
前記昇圧回路を制御することにより、前記昇圧回路が前記昇圧直流電圧を負荷に提供しつつ定電流で前記負荷を駆動可能な電圧制御モジュールと、
地面と前記昇圧回路との間に接続される第２の抵抗と、
前記第２の抵抗と前記昇圧回路との間から検出した昇圧回路の過電流保護電圧に基づいて、前記電圧制御モジュールが正常に作動するように制御するための第１の制御信号又は前記電圧制御モジュールの作動が停止するように制御するための第２の制御信号を生成する過電流保護モジュールとを備える過電流保護回路であって、
前記過電流保護回路は、前記過電流保護モジュールが検出した過電流保護電圧に基づいて前記電圧制御モジュールを正常に作動または作動を停止させる制御信号を生成し、前記過電流保護電圧が急増して基準電圧を超えるとき、前記過電流保護モジュールは電圧制御モジュールの作動を停止させる制御信号を生成して電圧制御モジュールの作動を停止させ、
前記過電流保護モジュールは、前記過電流保護電圧が基準電圧より小さい場合第１の制御信号を生成し、前記過電流保護電圧が基準電圧より大きい場合第２の制御信号を生成し、
前記過電流保護モジュールは、前記過電流保護電圧と基準電圧とを比較しかつその比較結果を出力する比較ユニットと、前記比較ユニットの比較結果に基づいて前記第１の制御信号又は前記第２の制御信号を生成する制御ユニットとを備え、
前記比較ユニットはコンパレータを備え、前記制御ユニットは第２のＭＯＳトランジスタを備え、ＬＥＤバックライト駆動回路は地面と昇圧回路との間に接続される第２の抵抗を備え、
コンパレータの正の入力端は前記昇圧回路と前記第２の抵抗との間に接続され、コンパレータの負の入力端は前記基準電圧に接続され、コンパレータの出力端は第２のＭＯＳトランジスタのゲート電極に接続され、第２のＭＯＳトランジスタのソース電極は接地され、第２のＭＯＳトランジスタのドレイン電極は電圧制御モジュールのイネーブルに接続され、
前記過電流保護電圧が前記基準電圧より小さい場合、前記コンパレータは第２のＭＯＳトランジスタのゲート電極に低レベル信号を出力することにより、電圧制御モジュールのイネーブルが前記第１の制御信号を受信するようにし、
前記過電流保護電圧が前記基準電圧より大きい場合、前記コンパレータは第２のＭＯＳトランジスタのゲート電極に高レベル信号を出力することにより、電圧制御モジュールのイネーブルが前記第２の制御信号を受信するようにすることを特徴とする過電流保護回路。
【請求項２】
入力直流電圧を昇圧直流電圧に昇圧させ、その昇圧直流電圧をＬＥＤ列に提供する昇圧回路と、
前記昇圧回路を制御することにより前記昇圧回路が前記昇圧直流電圧をＬＥＤ列に提供し、定電流で前記ＬＥＤ列を駆動し、かつ第１のＭＯＳトランジスタのソース電極と第２の抵抗との間に接続される電圧制御モジュールと、
前記第１のＭＯＳトランジスタのソース電極と前記第２の抵抗との間から検出した昇圧回路の過電流保護電圧に基づいて、前記電圧制御モジュールが正常に作動するように制御するための第１の制御信号又は前記電圧制御モジュールの作動が停止するように制御するための第２の制御信号を生成する過電流保護モジュールとを備えるＬＥＤバックライト駆動回路であって、
前記ＬＥＤバックライト駆動回路は、前記過電流保護モジュールが検出した過電流保護電圧に基づいて前記電圧制御モジュールを正常に作動または作動を停止させる制御信号を生成し、前記過電流保護電圧が急増して基準電圧を超えるとき、前記過電流保護モジュールは電圧制御モジュールの作動を停止させる制御信号を生成して電圧制御モジュールの作動を停止させ、
前記過電流保護モジュールは、前記過電流保護電圧が基準電圧より小さい場合第１の制御信号を生成し、前記過電流保護電圧が基準電圧より大きい場合第２の制御信号を生成し、
前記過電流保護モジュールは、前記過電流保護電圧と基準電圧とを比較しかつその比較結果を出力する比較ユニットと、前記比較ユニットの比較結果に基づいて前記第１の制御信号又は前記第２の制御信号を生成する制御ユニットとを備え、
前記比較ユニットはコンパレータを備え、前記制御ユニットは第２のＭＯＳトランジスタを備え、ＬＥＤバックライト駆動回路は地面と昇圧回路との間に接続される第２の抵抗を備え、
コンパレータの正の入力端は前記昇圧回路と前記第２の抵抗との間に接続され、コンパレータの負の入力端は前記基準電圧に接続され、コンパレータの出力端は第２のＭＯＳトランジスタのゲート電極に接続され、第２のＭＯＳトランジスタのソース電極は接地され、第２のＭＯＳトランジスタのドレイン電極は電圧制御モジュールのイネーブルに接続され、
前記過電流保護電圧が前記基準電圧より小さい場合、前記コンパレータは第２のＭＯＳトランジスタのゲート電極に低レベル信号を出力することにより、電圧制御モジュールのイネーブルが前記第１の制御信号を受信するようにし、
前記過電流保護電圧が前記基準電圧より大きい場合、前記コンパレータは第２のＭＯＳトランジスタのゲート電極に高レベル信号を出力することにより、電圧制御モジュールのイネーブルが前記第２の制御信号を受信するようにすることを特徴とするＬＥＤバックライト駆動回路。
【請求項３】
前記昇圧回路は、充放電モジュールを備え、
電圧制御モジュールが前記昇圧回路に導通信号を出力したとき、前記充放電モジュールは前記昇圧直流電圧をＬＥＤ列に提供し、
電圧制御モジュールが前記昇圧回路に遮断信号を出力したとき、前記充放電モジュールは充電されることを特徴とする請求項２に記載のＬＥＤバックライト駆動回路。
【請求項４】
前記昇圧回路は、インダクタ、整流ダイオード及び第１のＭＯＳトランジスタをさらに備え、
インダクタの一端は直流電圧に接続され、インダクタの他端は整流ダイオードの正極に接続され、整流ダイオードの負極はＬＥＤ列の正端子に接続され、前記充放電モジュールの一端は整流ダイオードの負極とＬＥＤ列の正端子との間に接続され、前記充放電モジュールの他端は接地され、第１のＭＯＳトランジスタのドレイン電極はインダクタの他端と整流ダイオードの正極との間に接続され、第１のＭＯＳトランジスタのソース電極は第２の抵抗に接続され、第１のＭＯＳトランジスタのゲート電極は電圧制御モジュールに接続されることを特徴とする請求項３に記載のＬＥＤバックライト駆動回路。
【請求項５】
ＬＥＤバックライト駆動回路を備える液晶表示装置であって、
前記ＬＥＤバックライト駆動回路は、
入力直流電圧を昇圧直流電圧に昇圧させ、その昇圧直流電圧をＬＥＤ列に提供する昇圧回路と、
前記昇圧回路を制御することにより前記昇圧回路が前記昇圧直流電圧をＬＥＤ列に提供し、定電流で前記ＬＥＤ列を駆動し、かつ第１のＭＯＳトランジスタのソース電極と第２の抵抗との間に接続される電圧制御モジュールと、
前記第１のＭＯＳトランジスタのソース電極と前記第２の抵抗との間から検出した昇圧回路の過電流保護電圧に基づいて、前記電圧制御モジュールが正常に作動するように制御するための第１の制御信号又は前記電圧制御モジュールの作動が停止するように制御するための第２の制御信号を生成する過電流保護モジュールとを備え、
前記ＬＥＤバックライト駆動回路は、前記過電流保護モジュールが検出した過電流保護電圧に基づいて前記電圧制御モジュールを正常に作動または作動を停止させる制御信号を生成し、前記過電流保護電圧が急増して基準電圧を超えるとき、前記過電流保護モジュールは電圧制御モジュールの作動を停止させる制御信号を生成して電圧制御モジュールの作動を停止させ、
前記過電流保護モジュールは、前記過電流保護電圧が基準電圧より小さい場合に第１の制御信号を生成し、前記過電流保護電圧が基準電圧より大きい場合に第２の制御信号を生成し、
前記過電流保護モジュールは、前記過電流保護電圧と基準電圧とを比較しかつその比較結果を出力する比較ユニットと、前記比較ユニットの比較結果に基づいて前記第１の制御信号又は前記第２の制御信号を生成する制御ユニットとを備え、
前記比較ユニットはコンパレータを備え、前記制御ユニットは第２のＭＯＳトランジスタを備え、前記液晶表示装置は地面と昇圧回路との間に接続される第２の抵抗を備え、
コンパレータの正の入力端は前記昇圧回路と前記第２の抵抗との間に接続され、コンパレータの負の入力端は前記基準電圧に接続され、コンパレータの出力端は第２のＭＯＳトランジスタのゲート電極に接続され、第２のＭＯＳトランジスタのソース電極は接地され、第２のＭＯＳトランジスタのドレイン電極は電圧制御モジュールのイネーブルに接続され、
前記過電流保護電圧が前記基準電圧より小さい場合、前記コンパレータは第２のＭＯＳトランジスタのゲート電極に低レベル信号を出力することにより、電圧制御モジュールのイネーブルが前記第１の制御信号を受信するようにし、
前記過電流保護電圧が前記基準電圧より大きい場合、前記コンパレータは第２のＭＯＳトランジスタのゲート電極に高レベル信号を出力することにより、電圧制御モジュールのイネーブルが前記第２の制御信号を受信するようにすることを特徴とする液晶表示装置。
【請求項６】
前記昇圧回路は、充放電モジュールを備え、
電圧制御モジュールが前記昇圧回路に導通信号を出力したとき、前記充放電モジュールは前記昇圧直流電圧をＬＥＤ列に提供し、
電圧制御モジュールが前記昇圧回路に遮断信号を出力したとき、前記充放電モジュールは充電されることを特徴とする請求項５に記載の液晶表示装置。
【請求項７】
前記昇圧回路は、インダクタ、整流ダイオード及び第１のＭＯＳトランジスタをさらに備え、
インダクタの一端は直流電圧に接続され、インダクタの他端は整流ダイオードの正極に接続され、整流ダイオードの負極はＬＥＤ列の正端子に接続され、前記充放電モジュールの一端は整流ダイオードの負極とＬＥＤ列の正端子との間に接続され、前記充放電モジュールの他端は接地され、第１のＭＯＳトランジスタのドレイン電極はインダクタの他端と整流ダイオードの正極との間に接続され、第１のＭＯＳトランジスタのソース電極は第２の抵抗に接続され、第１のＭＯＳトランジスタのゲート電極は電圧制御モジュールに接続されることを特徴とする請求項６に記載の液晶表示装置。
【発明の詳細な説明】
【技術分野】
【０００１】
本発明は、液晶表示分野に関し、より具体的には、過電流保護回路、この過電流保護回路を備えるＬＥＤバックライト駆動回路及びこのＬＥＤバックライト駆動回路を有する液晶表示装置に関するものである。
【背景技術】
【０００２】
技術の持続的な発展に従い、液晶表示装置のバックライト技術も発展されている。伝統的な液晶表示装置のバックライト光源としては冷陰極蛍光管（ＣＣＦＬ）を用いてきた。しかしながら、ＣＣＦＬバックライト光源には、カラーの再生力が悪く、発光効果が低く、放電電圧が高く、低温下での放電特性が悪く、加熱による安定的なグレースケールに至るまでの時間が長いなどの欠点がある。目前、ＬＥＤバックライト光源を用いるＬＥＤバックライト光源技術が既に開発された。液晶表示装置において、ＬＥＤバックライト光源は、液晶表示パネルに対向して配置されることによって液晶表示パネルに表示用光源を提供する。ＬＥＤバックライト光源において、専用のＬＥＤバックライト駆動回路を利用してＬＥＤ列を正常に発光させるための駆動電圧を提供する必要がある。
【０００３】
図１は、従来技術におけるＬＥＤバックライト駆動回路を示す図である。図１に示したように、前記ＬＥＤバックライト駆動回路は、昇圧回路１１０、バックライト駆動チップ（ＩＣ）１２０及びＬＥＤ列１３０を備える。ＬＥＤ列１３０は、直列に接続されている複数のＬＥＤ、第２のＭＯＳトランジスタＱ２及び抵抗Ｒ１を備える。
【０００４】
昇圧回路１１０は、バックライト駆動チップ１２０の制御によって入力直流電圧Ｖｉｎを昇圧させてＬＥＤ列１３０の駆動要求を満足させる。また、バックライト駆動チップ１２０は、ＬＥＤ列１３０に流れる電流を制御してＬＥＤ列１３０を正常に発光させる。
【発明の概要】
【発明が解決しようとする課題】
【０００５】
しかしながら、バックライト駆動チップ１２０のＩＳＥＮピンが検出した抵抗Ｒ２に流れる電流が過大から保護（即ち、バックライト駆動チップ１２０が作動しない）に至るまでに所定時間の遅延があることにより、昇圧回路の整流ダイオードＤが短絡された場合、コンデンサーＣ１にかなり大きな電量が蓄積されているので、第１のＭＯＳトランジスタＱ１が導通される瞬間、第１のＭＯＳトランジスタＱ１及び抵抗Ｒ２にかなり大きな電流が流れることによって第１のＭＯＳトランジスタＱ１及び抵抗Ｒ２が焼損されてしまう。
【課題を解決するための手段】
【０００６】
上述した問題を解決するため、本発明は、入力直流電圧を昇圧直流電圧に昇圧させ、その昇圧直流電圧を負荷に提供する昇圧回路と、前記昇圧回路を制御することにより、前記昇圧回路が前記昇圧直流電圧を負荷に提供しつつ定電流で前記負荷を駆動可能な電圧制御モジュールと、検出された昇圧回路の過電流保護電圧に基づいて、前記電圧制御モジュールが正常に作動するように制御するための第１の制御信号又は前記電圧制御モジュールの作動が停止するように制御するための第２の制御信号を生成する過電流保護モジュールと、を備える過電流保護回路を提供する。
【０００７】
また、前記過電流保護モジュールは、前記過電流保護電圧が基準電圧より小さい場合に第１の制御信号を生成し、前記過電流保護電圧が基準電圧より大きい場合に第２の制御信号を生成する。
【０００８】
上述した問題を解決するため、本発明は、入力直流電圧を昇圧直流電圧に昇圧させ、その昇圧直流電圧をＬＥＤ列に提供する昇圧回路と、前記昇圧回路を制御することにより、前記昇圧回路が前記昇圧直流電圧をＬＥＤ列に提供しつつ定電流で前記ＬＥＤ列を駆動可能な電圧制御モジュールと、検出された昇圧回路の過電流保護電圧に基づいて、前記電圧制御モジュールが正常に作動するように制御するための第１の制御信号又は前記電圧制御モジュールの作動が停止するように制御するための第２の制御信号を生成する過電流保護モジュールと、を備えるＬＥＤバックライト駆動回路をさらに提供する。
【０００９】
また、前記過電流保護モジュールは、前記過電流保護電圧が基準電圧より小さい場合に第１の制御信号を生成し、前記過電流保護電圧が基準電圧より大きい場合に第２の制御信号を生成する。
【００１０】
また、前記過電流保護モジュールは、前記過電流保護電圧と前記基準電圧とを比較し、その比較結果を出力する比較ユニットと、前記比較ユニットが出力した比較結果に基づいて前記第１の制御信号又は前記第２の制御信号を生成する制御ユニットとを備える。
【００１１】
また、前記比較ユニットはコンパレータを備え、前記制御ユニットは第２のＭＯＳトランジスタを備え、コンパレータの正の入力端は昇圧回路と第２の抵抗との間に接続され、コンパレータの負の入力端は前記基準電圧に接続され、コンパレータの出力端は第２のＭＯＳトランジスタのゲート電極に接続され、第２のＭＯＳトランジスタのソース電極は接地され、第２のＭＯＳトランジスタのドレイン電極は電圧制御モジュールのイネーブルに接続される。
【００１２】
また、前記過電流保護電圧が前記基準電圧より小さい場合、前記コンパレータが第２のＭＯＳトランジスタのゲート電極に低レベル信号を出力することにより、電圧制御モジュールのイネーブルに前記第１の制御信号が受信され、前記過電流保護電圧が前記基準電圧より大きい場合、前記コンパレータが第２のＭＯＳトランジスタのゲート電極に高レベル信号を出力することにより、電圧制御モジュールのイネーブルに前記第２の制御信号が受信される。
【００１３】
また、前記昇圧回路は、充放電モジュールを備え、電圧制御モジュールが前記昇圧回路に導通信号を出力したとき、前記充放電モジュールは前記昇圧直流電圧をＬＥＤ列に提供し、電圧制御モジュールが前記昇圧回路に遮断信号を出力したとき、前記充放電モジュールは充電される。
【００１４】
また、前記昇圧回路は、インダクタ、整流ダイオード及び第１のＭＯＳトランジスタをさらに備え、インダクタの一端は直流電圧に接続され、インダクタの他端は整流ダイオードの正極に接続され、整流ダイオードの負極はＬＥＤ列の正端子に接続され、前記充放電モジュールの一端は整流ダイオードの負極とＬＥＤ列の正端子との間に接続され、前記充放電モジュールの他端は接地され、第１のＭＯＳトランジスタのドレイン電極はインダクタの他端と整流ダイオードの正極との間に接続され、第１のＭＯＳトランジスタのソース電極は第２の抵抗に接続され、第１のＭＯＳトランジスタのゲート電極は電圧制御モジュールに接続される。
【００１５】
上述した問題を解決するため、本発明は、液晶表示パネルと、前記液晶表示パネルに対向して配置されているＬＥＤバックライト光源とを備える液晶表示装置をさらに提供する。前記ＬＥＤバックライト光源は、前記液晶表示パネルに画面が表示されるように、前記液晶表示パネルに表示用光源を提供する。前記ＬＥＤバックライト光源は、上記のＬＥＤバックライト駆動回路を備える。
【発明の効果】
【００１６】
従来技術と比べれば、本発明液晶パネルの駆動回路において、同一の列のＴＦＴ画素ユニットに対して、２つのスイッチ部材で２本のデータ線をそれぞれ同一のソース電極駆動チップに接続し、スイッチ部材の選択によってソース電極駆動チップのデータ信号を第１のデータ線を介して奇数行におけるＴＦＴ画素ユニットに提供、または、第２のデータ線を介して偶数行におけるＴＦＴ画素ユニットに提供することにより、データ線の信号の充電頻度を低下して液晶パネルの電力消費を減少するとともに、ソース電極駆動チップの使用数量を低減して駆動回路の設計及び製造の困難度を低下することにより、製造コストを節約することができる。
【図面の簡単な説明】
【００１７】
【図１】従来技術におけるＬＥＤバックライト駆動回路を示す図である。
【図２】本発明の実施例に係る過電流保護回路のブロック図である。
【図３】本発明の実施例に係るＬＥＤバックライト駆動回路を示す回路図である。
【図４】本発明の実施例に係る図３に示したＬＥＤバックライト駆動回路を有する液晶表示装置の構成を示す図である。
【発明を実施するための形態】
【００１８】
以下、本発明の実施例について詳細に説明し、その例は図面に図示され、同じ番号はいつも同じ構成を表す。図面において、明晰化のためには、層や領域の厚さを拡大することができる。下記の説明において、周知の構成及び／又は機能に対する詳細な説明が必要ないものと本発明の発明構想との混同を防止するためには、それらの周知の構成及び／又は機能に対する詳細な説明は省略することができる。
【００１９】
図２は、本発明の実施例に係る過電流保護回路のブロック図である。
【００２０】
図２を参照すれば、本発明の実施例に係る過電流保護回路は、入力直流電圧Ｖｉｎを昇圧直流電圧（負荷２２０に必要な電圧）に昇圧させ、その昇圧直流電圧を負荷２２０に提供することにより、負荷２２０を正常に作動させる昇圧回路２１０と、昇圧回路２１０を制御することにより、昇圧回路２１０が入力直流電圧Ｖｉｎを負荷２２０に必要な電圧に昇圧させて負荷２２０に提供しつつ定電流で負荷２２０を駆動可能な電圧制御モジュール２３０と、検出された昇圧回路２１０の過電流保護電圧（第２の抵抗２５０と昇圧回路２１０との間の電圧）に基づいて第１の制御信号又は第２の制御信号を生成する過電流保護モジュール２４０とを備える。第１の制御信号は、電圧制御モジュール２３０が正常に作動するように制御するためのものであり、第２の制御信号は、電圧制御モジュール２３０の作動が停止するように制御するためのものである。前記過電流保護電圧は、第２の抵抗２５０の抵抗値と第２の抵抗２５０に流れる電流の電流値との乗積である。
【００２１】
過電流保護モジュール２４０は、前記過電流保護電圧が基準電圧より小さい場合に第１の制御信号を生成し、前記過電流保護電圧が基準電圧より大きい場合に第２の制御信号を生成する。
【００２２】
本実施例に係る過電流保護回路は、過電流保護モジュール２４０が検出した過電流保護電圧に基づいて電圧制御モジュール２３０を正常に作動または作動を停止させるための制御信号を生成することにより、前記過電流保護電圧が急増して前記基準電圧を超えたときに、過電流保護モジュール２４０が制御モジュール２３０の作動を停止させるための制御信号を生成して電圧制御モジュール２３０の作動を停止させることで、回路全体における電流の過大による回路素子の焼損を防止することができる。
【００２３】
上記した過電流保護回路は、ＬＥＤバックライト光源のＬＥＤバックライト駆動回路に適用することができる。本実施例において、過電流保護回路における負荷２２０は一般にＬＥＤ列であるが、本発明はこれに限定されることではない。
【００２４】
図３は、本発明の実施例に係るＬＥＤバックライト駆動回路を示す回路図である。
【００２５】
図３を参照すれば、本発明の実施例に係るＬＥＤバックライト駆動回路は、昇圧回路２１０、電圧制御モジュール２３０、過電流保護モジュール２４０及びＬＥＤ列２２１を備える。ＬＥＤ列２２１は、直列に接続されている複数のＬＥＤと、この複数のＬＥＤに直列に接続されている第３のＭＯＳ（Metal  Oxide  Semiconductor、金属酸化物半導体）トランジスタ２２２及び第１の抵抗２２３とを備える。
【００２６】
具体的には、前記昇圧回路２１０は、充放電モジュール２１３を備える。電圧制御モジュール２３０が前記昇圧回路２１０に導通信号（即ち、高レベル信号）を出力したとき、前記充放電モジュール２１３は前記昇圧直流電圧をＬＥＤ列２２１に提供し、電圧制御モジュール２３０が前記昇圧回路２１０に遮断信号（即ち、低レベル信号）を出力したとき、前記充放電モジュール２１３は充電される。前記充放電モジュール２１３は、例えばコンデンサーであるが、本発明はこれに限定されることではない。
【００２７】
また、前記昇圧回路２１０は、インダクタ２１１、整流ダイオード２１２及び第１のＭＯＳトランジスタ２１４をさらに備える。インダクタ２１１の一端は直流電圧Ｖｉｎに接続され、インダクタ２１１の他端は整流ダイオード２１２の正極に接続され、整流ダイオード２１２の負極はＬＥＤ列２２１の正端子に接続され、充放電モジュール２１３の一端は整流ダイオード２１２の負極とＬＥＤ列２２１の正端子との間に接続され、充放電モジュール２１３の他端は接地され、第１のＭＯＳトランジスタのドレイン電極はインダクタ２１１の他端と整流ダイオード２１２の正極との間に接続され、第１のＭＯＳトランジスタ２１４のソース電極は第２の抵抗２５０に接続され、第１のＭＯＳトランジスタ２１４のゲート電極は電圧制御モジュール２３０に接続される。電圧制御モジュール２３０は、昇圧回路２１０が入力直流電圧Ｖｉｎを負荷２２０に必要な電圧に昇圧しかつその昇圧後の電圧をＬＥＤ列２２１に提供するように、第１のＭＯＳトランジスタ２１４のゲート電極に出力される駆動信号を制御することで昇圧回路２１０を制御する。
【００２８】
電圧制御モジュール２３０は、例えばバックライト駆動用集積回路（Integrated  Circuit、ＩＣ）であり、複数のピンを備える。電圧制御モジュール２３０のＧＡＴＥピンが第１のＭＯＳトランジスタ２１４のゲート電極に接続されることにより、第１のＭＯＳトランジスタ２１４のゲート電極に昇圧回路２１０を制御するための駆動信号（即ち、上述した導通信号又は遮断信号）を提供する。電圧制御モジュール２３０のＩＳＥＮピンが第１のＭＯＳトランジスタ２１４のソース電極と第２の抵抗２５０との間に接続されることにより、昇圧回路２１０の過電流保護電圧（第１のＭＯＳトランジスタ２１４のソース電極と第２の抵抗２５０との間の電圧）を検出し、検出された前記過電流保護電圧が保護電圧（電圧制御モジュール２３０内に設定されている電圧）を超えたとき、電圧制御モジュール２３０は作動を停止する。電圧制御モジュール２３０のＥＮピン（即ち、電圧制御モジュール２３１０のイネーブル）が過電流保護モジュール２４０に接続されることにより、ＥＮピンに入力されたレベル信号が高レベル信号である場合、電圧制御モジュール２３０は正常に作動し、ＥＮピンに入力されたレベル信号が低レベル信号である場合、電圧制御モジュール２３０は作動を停止する。電圧制御モジュール２３０のＧ１ピンが第３のＭＯＳトランジスタ２２２のゲート電極に接続され、電圧制御モジュール２３０のＳ１ピンが第３のＭＯＳトランジスタ２２２のソース電極と第１の抵抗２２３との間に接続されることにより、ＬＤＥ列２２１が正常に発光するように、ＬＥＤ列２２１に流れる電流を定常に制御しつつＬＥＤ列２２１における電流の大きさを調整する。
【００２９】
過電流保護モジュール２４０は、電圧制御モジュール２３０が検出した前記過電流保護電圧と基準電圧Ｖｒｅｆとを比較し、その比較結果を出力する比較ユニット２４１と、前記比較ユニット２４１が出力した比較結果に基づいて第１の制御信号又は第２の制御信号を生成する制御ユニット２４２とを備える。第１の制御信号は、電圧制御モジュール２３０が正常に作動するように制御するためものであり、第２の制御信号は、電圧制御モジュール２３０作動が停止するように制御するためのものである。
【００３０】
比較ユニット２４１はコンパレータ２４１１を備え、制御ユニット２４２は第２のＭＯＳトランジスタ２４２１を備える。コンパレータ２４１１の正の入力端は昇圧回路２１０の第１のＭＯＳトランジスタ２１４のソース電極と第２の抵抗２５０との間に接続され、コンパレータ２４１１の負の入力端は基準電圧Ｖｒｅｆに接続され、コンパレータ２４１１の出力端は第２のＭＯＳトランジスタ２４２１のゲート電極に接続され、第２のＭＯＳトランジスタ２４２１のソース電極は接地され、第２のＭＯＳトランジスタ２４２１のドレイン電極は電圧制御モジュール２３０のＥＮピンに接続される。電圧制御モジュール２３０が検出した前記過電流保護電圧が基準電圧Ｖｒｅｆより小さい場合、コンパレータ２４１１が第２のＭＯＳトランジスタ２４２１のゲート電極に低レベル信号を出力することにより、第２のＭＯＳトランジスタ２４２１が遮断され、電圧制御モジュール２３０のＥＮピンに第１の制御信号が受信されて正常に作動する。電圧制御モジュール２３０が検出した前記過電流保護電圧が基準電圧Ｖｒｅｆより大きい場合、コンパレータ２４１１が第２のＭＯＳトランジスタ２４２１のゲート電極に高レベル信号を出力することにより、第２のＭＯＳトランジスタ２４２１が導通され、電圧制御モジュール２３０のＥＮピンに第２の制御信号が受信されて作動を停止する。
【００３１】
本実施例においては、第１の制御信号は低レベル信号であり、第２の制御信号は高レベル信号であるが、本発明はこれに限定されることではない。
【００３２】
本発明において、並列に接続された本実施例の複数のＬＥＤ列２２１を昇圧回路２１０の整流ダイオード２１２の正極に接続することができ、昇圧回路２１０が出力した昇圧後の電圧が十分に大きければ、並列に接続されている複数のＬＥＤ列２２１を駆動することができ、さらに、ＬＥＤバックライト光源はより多い光を液晶表示パネルに提供することができる。
【００３３】
以下、図３に示した本発明の実施例に係るＬＥＤバックライト駆動回路の過電流保護機能について詳細に説明する。
【００３４】
ＬＤＥバックライト駆動回路の全体が正常に作動する場合、ＬＥＤ列２２１に、昇圧回路２１０による入力直流電圧Ｖｉｎの昇圧後の昇圧直流電圧が入力されて正常に発光される。このとき、第１のＭＯＳトランジスタ２１４及び第２の抵抗２５０に流れる電流の大きさはＩ１であり、電圧制御モジュール２３０が検出した前記過電流保護電圧（即ち、第１のＭＯＳトランジスタ２１４のソース電極と第２の抵抗２５０との間の電圧であり、該電圧はＩ１×Ｒであり、Ｒは第２の抵抗の抵抗値である）が基準電圧Ｖｒｅｆより小さく、コンパレータ２４１１の出力端が第２のＭＯＳトランジスタ２４２１のゲート電極に低レベル信号を出力することにより、第２のＭＯＳトランジスタ２４２１が遮断されて電圧制御モジュール２３０に対してはいかなる作用も起こせない。即ち、電圧制御モジュール２３０のＥＮピンが第１の制御信号（即ち、高レベル信号）を受信して正常に作動することとなる。
【００３５】
ＬＤＥバックライト駆動回路の全体が異常に作動する場合、例えば、昇圧回路２１０の整流ダイオード２１２に短絡が発生した場合、充放電モジュール２１３にかなり大きな電量が蓄積されているので、第１のＭＯＳトランジスタＱ１が導通される瞬間、かなり大きな電流が第１のＭＯＳトランジスタ２１４及び第２の抵抗２５０に流れることになる。このとき、第１のＭＯＳトランジスタ２１４及び第２の抵抗２５０に流れる電流の大きさはＩ２であり、電圧制御モジュール２３０が検出した前記過電流保護電圧（即ち、第１のＭＯＳトランジスタ２１４のソース電極と第２の抵抗２５０との間の電圧であり、該電圧はＩ２×Ｒであり、Ｒは第２の抵抗の抵抗値である）が基準電圧より大きく、コンパレータ２４１１の出力端が第２のＭＯＳトランジスタ２４２１のゲート電極に高レベル信号を出力することにより、第２のＭＯＳトランジスタ２４２１が導通されて第２のＭＯＳトランジスタ２４２１のソース電極を接地させることで電圧制御モジュール２３０のＥＮピンのレベル信号を低レベル信号に低下させる。即ち、電圧制御モジュール２３０のＥＮピンが第２の制御信号（即ち、低レベル信号）を受信して作動を停止する。したがって、第１のＭＯＳトランジスタ２１４のソース電極及び第２の抵抗２５０に流れる電流Ｉ２が過大となって第１のＭＯＳトランジスタ２１４のソース電極及び第２の抵抗２５０を焼損させることを防止することができる。
【００３６】
以下、図３に示したＬＥＤバックライト駆動回路を有する液晶表示装置について説明する。図４は、本発明の実施例に係る図３に示したＬＥＤバックライト駆動回路を有する液晶表示装置の構成を示す図である。
【００３７】
図４を参照すれば、本発明の実施例に係る液晶表示装置は、液晶表示パネル１０と、液晶表示パネル１０に対向して配置されているＬＥＤバックライト光源２０とを備える。ＬＥＤバックライト光源２０は、液晶表示パネル１０に画面が表示されるように、液晶表示パネル１０に表示用光源２０を提供する。ＬＥＤバックライト光源２０は、図３に示したようなＬＥＤバックライト駆動回路を備える。
【００３８】
例示的な具体的な実施例を参照しながら本発明を説明したが、当業者ならば、この発明の要旨を逸脱しない範囲での設計の変更等があってもこの発明に含まれることは勿論である。
【図１】
0006291577.tif 000002
【図２】
0006291577.tif 000003
【図３】
0006291577.tif 000004
【図４】
0006291577.tif 000005